(57)【要約】【課題】登高座の代わりに、通常、仏壇に保管されない仏具を収納して有効に利用できる仏壇を提供すること。【解決手段】本体部と台座部とを有する仏壇において、台座部の敷台には、仏具収納体３０を出入可能に配置する。仏具収納体３０は、枠体３１と、枠体３１に着脱可能な中箱部３２と、中箱部３２に着脱可能な２個の凹状収納部３３とを有している。第１の凹状収納部３３Ａには内敷１６を収納し、第２の凹状収納部３３Ｂには掛軸１８を収納する。【選択図】図５
0003114174.tif 000002
【実用新案登録請求の範囲】
【請求項１】
開閉可能な前面ドアを有するとともに内部に仏具を載置する仏具載置部を有する上部本体部と、前記上部本体部を支持する下部台座部とを備える仏壇であって、
前記下部台座部の下部には、引き出し可能に形成されるとともに、上下方向が開口された枠体と、前記枠体に嵌入される少なくとも２個の凹状収納部と、を有して各種の仏具を収納可能に形成された仏具収納体が配置され、前記凹状収納部が前記枠体に対して着脱可能に配置されていることを特徴とする仏壇。
【請求項２】
前記仏具収納体には、枠体と前記凹状収納部との間に、前記凹状収納部を内嵌する中箱部が配置されていることを特徴とする請求項１記載の仏壇。
【請求項３】
一方の凹状収納部には、内敷が収納されることを特徴とする請求項１又は２記載の仏壇。
【請求項４】
他方の凹状収納部には、掛軸が収納されることを特徴とする請求項１，２又は３記載の仏壇。                                                                                
【考案の詳細な説明】
【技術分野】
【０００１】
本考案は、仏壇に関し、さらに詳しくは、通常仏壇に収納されない仏具を収納して有効に利用できる仏壇に関する。
【背景技術】
【０００２】
一般に、仏壇は、敷台・まくりを含む下部台座部と、宮殿・須弥段を載置する載置部及び前面を開閉可能なドアを有する上部本体部と、を備えて構成されている。下部台座部に配置されるまくりは、通常、開閉ドアを有して仏具を収納可能な収納部に形成されている。また、まくりの下方に配置された敷台には、図７に示すように、登高座４１が出入可能に配置されている。
【０００３】
通常、この登高座４１は、支持体４２に畳４３が敷設され、お坊様が着座するために使用されている。この登高座４１は、敷台の開閉扉を外して容易に引き出せるように構成されている。
【０００４】
また、特許文献１では、図８に示すように、仏壇５０の下部台座部５１には日頃使用しない仏具を収納することもある。例えば、下部台座部５１には、経机５３を収納するための経机用引出し５４が配置され、まくり５５には、やや大きめの杢魚を収納する杢魚用スライドトレイ５６あるいは霊供膳を収納するための霊供膳スライドトレイ５７が配置されている。経机用引出し５４は下部台座部５１の部位に引き出し可能に配置され、杢魚用スライドトレイ５６あるいは霊供膳スライドトレイ５７はまくり５５の部位に開閉扉５８を介して配置されている。
【特許文献１】実用新案登録第３０６６３６５号公報（９〜１２頁、図１〜２参照）
【考案の開示】
【考案が解決しようとする課題】
【０００５】
しかし、お坊様が着用するための登高座４１はほとんど使用されていないことが現状であり、そのために下部台座部には登高座の代わりに有効に使用できるものを配置することが要望されていた。また、特許文献１に示されているような、下部台座部５１に配置された経机用引出し５４は、経机５３を収納可能に形成されていることから、経机５３だけでスペースととるばかりでなく、日頃使用しないものを収納することとなっていたから仏壇を有効利用しているものではなかった。そのため、普段使用しているもので仏壇と別に保管されているもの（例えば、敷物や掛軸等）を仏壇内に収納することによって、有効に利用できる仏壇として提供されることが望まれていた。
【課題を解決するための手段】
【０００６】
本考案は、上述の課題を解決するものであり、下部に各種の仏具を収納して有効に使用できる仏壇を提供することを目的とするものであり、そのために本考案に係る仏壇は、
請求項１記載の考案では、開閉可能な前面ドアを有するとともに内部に仏具を載置する仏具載置部を有する上部本体部と、前記上部本体部を支持する下部台座部とを備える仏壇であって、
前記台座部の下部には、引き出し可能に形成されるとともに、上下方向が開口された枠体と、前記枠体に嵌入される少なくとも２個の凹状収納部と、を有して各種の仏具を収納可能に形成された仏具収納体が配置され、前記凹状収納部が前記枠体に対して着脱可能に配置されていることを特徴とするものである。
【０００７】
請求項２記載の考案では、前記仏具収納体には、枠体と前記凹状収納部との間に、前記凹状収納部を内嵌する中箱部が配置されていることを特徴としている。
【０００８】
請求項３記載の考案では、一方の凹状収納部には、内敷が収納されることを特徴としている。
【０００９】
請求項４記載の考案では、他方の凹状収納部には、掛軸が収納されることを特徴としている。
【考案の効果】
【００１０】
本考案に係る仏壇では、請求項１記載の考案によれば、仏壇の下部には、各種の仏具が収納された仏具収納体が配置されている。収納される仏具は、例えば、通常、仏壇に使用されるものであって、仏壇に収納されることなく他の別の場所に保管されるものであることから、これらの仏具を下部台座部に収納することによって仏壇として有効に使用することができる。また、仏具収納体の凹状収納部が、少なくとも２個以上配置され、枠体に対して着脱可能としていることから、各仏具の大きさに合わせた凹状収納部を予め用意しておくことによって、多種の仏具を収納できることとなり、現在使用されていない登高座の代わりに仏具収納体として有効に使用することができる。
【００１１】
請求項２記載の考案によれば、仏具を収納する凹状収納部は中箱部に嵌入可能に形成されるため、各種の仏具に合わせた大きさの凹状収納部に取り替えることができ、それによって多種類の仏具を収容できることとなる。また、中箱部に凹状収納部を嵌入しないで、畳を敷設することも可能となる。
【００１２】
この仏具が、例えば、請求項３記載のように前卓に敷設されている内敷、あるいは、請求項４記載の掛軸であれば、仏具を上部本体部に載置する際に、即座に取り出すことができるとともに、凹状収納部が収納される仏具の大きさに合わせて形成されていることから、収納する際にも仏具を収納しやすくまた損傷させにくい。
【考案を実施するための最良の形態】
【００１３】
次に、本考案の仏壇の一形態を図面に基づいて説明する。実施形態で使用する仏壇は、白木仏壇における「小仏三方開御坊用」で説明するものとする。また、各部の名称も名古屋仏壇で使用されているもので説明するものとする。
【００１４】
図１は、仏壇１の正面斜視図を示すものであり、実施形態の仏壇１は、上部本体部（以下、本体部という。）１０と下部台座部（以下、台座部という。）２０とを有して構成されている。本体部１０は、天井壁１１、左右両側壁１２、１２、背壁１３に囲まれるとともに、前面上部に「差桝１４」に装着した「桝間彫１４１」を備えて内部が中空状に形成された仏具載置部１５が配置されている。仏具載置部１５には「内敷１６を敷設した前卓１７」、背壁１３に掛けられた「掛軸１８」等の仏具が配置されている。
【００１５】
台座部２０は、本体部１０を支持するように配置され、「敷台２１」と、「下台輪２２」と「台輪２３」とを有し、「下台輪２２」と「台輪２３」との間に「まくり２４」が形成され内部に仏具を収納可能に構成されている。「敷台２１」には、中央部に箱状の仏具収納体３０が出入可能に配置されている。
【００１６】
実施形態の仏具収納体３０は、図２〜４に示すように、上下方向が開口する枠体３１と、枠体３１内に収納可能に形成される有底状の中箱部３２と、中箱部３２内に収納可能に形成される凹状収納部（以下、凹状収納箱という。）３３と、を有して構成されている。
【００１７】
枠体３１は、中空状内部の周りに４辺を連接して矩形枠状に形成する枠体本体部３１１と、枠体本体部３１１の下部内周面に全周にわたって内方に突出する支持片３１２とを有して形成されている。支持片３１２は、全周にわたって形成されるものでなくても、中箱部３２を支持できるものであれば一部に形成されものであってもよい。
【００１８】
中箱部３２は、仏具収納体３０の出入方向に沿って内部を分断する１箇所の仕切り板３２１を形成することによって、第１の中箱収納部３２２Ａと第２の中箱収納部３２２Ｂを形成している。第１の中箱収納部３２２Ａには第１の凹状収納箱３２Ａが嵌入され、第２の中箱収納部３２２Ｂには第２の凹状収納箱３３Ｂが嵌入される。なお、この中箱部３２の仕切り板３２１を着脱可能に形成すれば、例えば、仕切り板３２１を取り外して、従来の畳を敷設して登高座として使用することもできる。
【００１９】
なお、中箱部３２が枠体３１に嵌入された状態では、中箱部３２の上面は、枠体本体部３１１の上面より低い位置にあり，中箱部３２の第１の中箱収納部３２２Ａの上面に第１の蓋部３４Ａが載置され、第２の中箱収納部３２２Ｂの上面に第２の蓋部３４Ｂが載置されることによって、第１の蓋部３４Ａ及び第２の蓋部３４Ｂの上面が、枠体本体部３１１の上面と略一致する。
【００２０】
実施形態における凹状収納箱３３のうち、第１の凹状収納箱３３Ａは、第２の凹状収納箱３３Ｂに比べて幅広に形成され、実施形態では、図５に示すように、前卓１７に敷設される内敷１６が収納され、第２の凹状収納箱３３Ｂは細長状に形成されて、実施形態では掛軸１８が収納される。内敷１６と掛軸１８とは、仏壇１を使用する際に、常時配置されるものであって、仏壇１を使用しない状態では、通常、仏壇１内には保管されずに別の場所に保管されていたものである。
【００２１】
なお、凹状収納箱３３には、内敷１６、掛軸１８以外に、通常、仏壇１以外の場所に保管される仏具を収納することができる。その場合には、収納する仏具に合わせた凹状収納箱３３を適宜の大きさに形成するとともに、その凹状収納箱３３に合わせて、中箱部３２の仕切り板３２１の位置を配置すればよい。
【００２２】
次に上記のように構成された仏壇１の登高座２５に仏具を収納したり取り出したりする作用について説明する。
【００２３】
仏壇１を使用する際、上部本体部１０の仏具載置部１５に、各種の仏具を載置する。この際、前卓１７には内敷１６が掛けられ、背壁１３には掛軸１８が掛けられる。内敷１６と掛軸１８とは、敷台２１に収納されていることから、敷台２１の開閉扉を取り外した後、図６に示すように、仏具収納体３０を引き出す。仏具収納体３０の上面には第１の蓋部３４Ａと第２の蓋部３４Ｂが取り付けられていることから、第１の蓋部３４Ａを取り外した後、内敷１６を取り出し、第２の蓋部３４Ｂを取り出した後、掛軸１８を取り出す。そして所定の場所に、それぞれ内敷１６と掛軸１８とを掛けることとなる。
【００２４】
また、内敷１６及び掛軸１８を収納する場合には、上記と逆の作用を行うこととなる。
【００２５】
上述のように、実施形態の仏壇１では、従来の登高座の代わりに内敷１６と掛軸１８とを収納する仏具収納体３０を引き出し可能に配置することから、常時使用する仏具であって仏壇とは別の場所に保管されていた仏具を、仏壇に収納できることとなって、下部台座部２０を有効利用することができることとなる。
【００２６】
また、仏具収納体３０が、枠体３１と中箱部３２と凹状収納箱３３とを有して構成され、中箱部３２が枠体３１に着脱可能に配置され、また、凹状収納部３３が中箱部３２に対して着脱可能に配置されることによって、内敷１６や掛軸１８のほかに普段仏壇と別に保管されている仏具を収納することもできる。
【００２７】
なお、本考案の仏壇は上記の形態に限定するものではない。例えば、仏具収納体３０の中箱部３２に形成する仕切り板３２１を２箇所以上に形成して、中箱収納部３２２を３以上に形成することができる。この場合、中箱収納部３２２に嵌入する凹状収納箱３３は、さらに細かい仏具を収納することができる。
【００２８】
また、中箱部３２の仕切り板を削除して、複数の収納部を有する１個の凹状収納箱を中箱部３２に嵌入するようにしてもよい。
【図面の簡単な説明】
【００２９】
【図１】本考案の一形態による仏壇を示す正面から見た斜視図である。
【図２】仏壇収納部を示す平面図である。
【図３】図２におけるIII−III断面図である。
【図４】図２の仏壇収納部の分解斜視図である。
【図５】仏壇収納部に内敷と掛軸を収納した状態を示す斜視図である。
【図６】仏壇収納部を引き出す状態を示す斜視図である。
【図７】従来の登高座を示す斜視図である。
【図８】従来の仏壇の下台を示す斜視図である。
【符号の説明】
【００３０】
１、仏壇
１０、本体部
１５、仏具載置部
１６、内敷
１７、前卓
１８、掛軸
２０、台座部
２５、登高座
３０、仏壇収納部
３１、枠体
３２、中箱部
３２２Ａ、第１の中箱収納部
３２２Ｂ、第２の中箱収納部
３３、凹状収納箱
３３Ａ、第１の凹状収納箱
３３Ｂ、第２の凹状収納箱                                                                               
【図１】
0003114174.tif 000003
【図２】
0003114174.tif 000004
【図３】
0003114174.tif 000005
【図４】
0003114174.tif 000006
【図５】
0003114174.tif 000007
【図６】
0003114174.tif 000008
【図７】
0003114174.tif 000009
【図８】
0003114174.tif 000010